(57)【要約】典型的な実施形態は、安全めがねであって、フレームと、フレームに取り付けられている柔軟なケーブルと、安全めがねを使用者に固定するように取り付け点の位置で動作可能な、柔軟なケーブルに取り付けられているストラップとを有し、柔軟なケーブルによって、さまざまなストラップ構成に対応するように、取り付け点を移動することができる安全めがねを有する。
2009540365.tif 000002
【特許請求の範囲】
【請求項１】
安全めがねであって、
フレームと、
前記フレームに第１のフレーム側部の位置と反対側の第２のフレーム側部の位置とにおいて取り付けられている柔軟なケーブルと、
前記柔軟なケーブルに取り付けられている、該安全めがねを使用者に固定するためのストラップと、
を有し、
前記柔軟なケーブルによって、さまざまなストラップ構成に対応するように、取り付け点を移動することができる安全めがね。
【請求項２】
前記柔軟なケーブルは、ストラップ位置の変化に対して前記第１と第２のフレームの側部の間を自己補正するように、前記第１と第２のフレームの側部の間を調整する、請求項１に記載の安全めがね。
【請求項３】
前記柔軟なケーブルは第１と第２の下側フレーム部分と第１と第２の上側フレーム部分から前記ストラップの第１と第２の端部まで延びている、請求項２に記載の安全めがね。
【請求項４】
前記柔軟なケーブルは、前記第１と第２のフレーム側部の間の上側フレーム部分内の開口を通過して摺動可能に設けられている、請求項３に記載の安全めがね。
【請求項５】
前記柔軟なケーブルは、下側の第１の側のフレーム部分に取り付けられており、環として上側の前記第１の側のフレーム部分まで延びており、前記第１と第２の側部の間の上側フレーム部分内の開口内を経由しており、上側の第２の側のフレーム部分から環として延びており、下側の前記第２の側のフレーム部分の位置で取り付けられている、請求項２に記載の安全めがね。
【請求項６】
レンズが取り付けられ、前記フレームに取り外し可能に取り付けられている、取り外し可能なレンズ保持部分をさらに有する、請求項２に記載の安全めがね。
【請求項７】
前記取り付けられているレンズは、前記取り外し可能なレンズ保持部分に恒久的に取り付けられている、請求項６に記載の安全めがね。
【発明の詳細な説明】
【技術分野】
【０００１】
本開示は、概して安全めがねフレームとレンズとに関する。本開示は、特に柔軟なケーブルストラップアダプタを有している安全めがね組み立て品に関する。
【背景技術】
【０００２】
安全めがねは、さまざまな安全上の理由から装着されている。その結果、特定の用途または環境のために各々が特別に設計され、意図されている様々な安全めがねの種類が開発されてきた。たとえば、安全めがねは、装着者の眼を、金属加工作業、軍事作戦などの間に破壊物の破片から保護するために装着されることが多い。そのような環境では、金属の破片、砂、または他の破片が操作者の眼に向けて飛ばされることがある。安全めがねは、従業員を飛散や流出が原因の空中の化学物質から保護するために化学工業においても装着される。さらに、安全めがねはレーザーを利用する産業においても装着される。レーザーは眼が露出している場合には、眼に損傷を与える恐れがある。レーザーは特に危険であるが、これは、レーザー光の波長が異なれば眼に損傷を与える光をフィルタリングするために必要なレンズも異なるためである。
【発明の概要】
【発明が解決しようとする課題】
【０００３】
現在ではより多くの従業員が安全めがねを装着するように求める安全要件が増加しているため、コスト、レンズの交換のしやすさ、規定レンズへの対応の可能性、およびファッション性が現在ではこれらの安全製品の顧客の主な関心事になっている。
【課題を解決するための手段】
【０００４】
典型的な実施態様は、安全めがねであって、フレームと、フレームに取り付けられている柔軟なケーブルと、安全めがねを使用者に固定するように取り付け点の位置で動作可能であって、柔軟なケーブルに取り付けられているストラップとを有し、柔軟なケーブルによって、さまざまなストラップ構成に対応するように、取り付け点を移動することができる安全めがねを有する。
【０００５】
追加の特徴と利点とが、本発明の技法によってもたらされる。本明細書において本発明の他の実施態様と態様とが詳細に説明され、特許請求の範囲に記載の発明の一部とみなされる。本発明の利点と特徴と共により良く理解するために、説明と図面とが参照される。
【０００６】
本発明と見なされる対象は、明細書の最後の特許請求の範囲において特に指摘され明確に記述されている。前述のそして他の本発明の目的、特徴、および利点は、添付の典型的な図面と共に以下で詳細に説明する典型的な実施形態から明らかである。
【０００７】
詳細な説明は、本発明の典型的な実施形態を利点と特徴と共に例として図面を参照して記述している。
【図面の簡単な説明】
【０００８】
【図１】典型的な実施形態の規定挿入部分を備えている取り外し可能なレンズ保持部分を有している典型的な安全めがねを示している図である。
【図２】典型的な実施形態の取り外し可能なレンズ保持部分を有している他の典型的な安全めがねを示している図である。
【図３】他の典型的な実施形態の規定挿入部分を備えている取り外し可能なレンズ保持部分を有している典型的な安全めがねを示している図である。
【図４（ａ）】典型的な実施形態の作動通気部分を有している典型的な安全めがねを示している図である
【図４（ｂ）】典型的な実施形態の作動通気部分を有している典型的な安全めがねを示している図である
【図５】典型的な安全めがねの上部立面図である。
【図６】典型的な取り外し可能なレンズ保持部分の背部立面図である。
【図７】典型的な安全めがねの前部立面図である。
【図８】典型的な取り外し可能なレンズ保持部分フレームの透視図である。
【図９】典型的な規定挿入部分の側部立面図である。
【図１０】典型的な安全めがねの背部立面図である。
【図１１】複数の規定挿入部分取り付け点を有している典型的な第２の安全めがねの上部立面図である。
【発明を実施するための形態】
【０００９】
説明を目的としている図面をここで参照すると、当然、当業者の知識の範囲内にあって、さまざまな典型的な実施形態の理解に寄与しない標準的な構成部分または特徴は、より明確となるように図面から省略されている。
【００１０】
図１は、取り外し可能なレンズ保持部分１２、レンズ１４、フレーム１６、および取り外し可能な規定挿入部分１８を有している典型的な安全めがね１０を示している。取り外し可能なレンズ保持部分１２は、フレーム１６に取り外し可能に取り付けられており、取り外し可能な規定挿入部分１８も、フレーム１６に取り外し可能に取り付けられている。安全めがね１０は、安全めがね１０を使用者に固定するために使用されるストラップ２０を有していてもよい。
【００１１】
一実施形態では、フレーム１６は取り外し可能なレンズ保持部分１２の接続点を実現しているある程度柔軟な素材で作られている。フレーム１６と取り外し可能なレンズ保持部分１２の接続点とは、さねはぎ接合、オスとメスとのフランジ接続、ラッチ等のしかしこれらには限定されない様々な取り付け機構を使用して互いに接続されていてもよい。一実施形態では、フレーム１６と取り外し可能なレンズ保持部分１２とは、気密な密封部分を構成してもよい。フレーム１６は、フレーム１６と使用者の顔面との間の密封部分を実現する顔面密封ガスケット２２も有していてもよい。取り外し可能な規定挿入部１８は、取り外し可能なレンズ保持部分１２がフレーム１６に取り付けられていないときに、フレーム１６に取り付けたり、フレーム１６から取り外したりすることができる。
【００１２】
取り外し可能なレンズ保持部分１２は、取り外し可能にフレーム１６に取り付けられており、恒久的にレンズ１４に取り付けられている。レンズ１４には、様々な色付けがされていたり、コーティングがされていてもよい。取り外し可能なレンズ保持部分１２とレンズ１４とは、特定の用途または環境のために各々が特別に設計され、意図されている様々な形状と大きさであってもよい。取り外し可能なレンズ保持部分１２は、使用者がフレーム１６を装着しているときに、使用者が取り外し可能なレンズ保持部分１２をフレーム１６から取り外し可能なように構成されている。たとえば、使用者は安全めがね１０を完全に外すことなく、使用するレンズの種類を変更することができる。取り外し可能なレンズ保持部分１２によって、使用者は１つの安全めがねを様々な異なる環境と様々な用途に対して使用することができる。
【００１３】
典型的な実施形態では、取り外し可能なレンズ保持部分１２は、レンズ１４を完全に収容してもよいし、レンズ１４を部分的にのみ収容してもよい。一実施形態では、取り外し可能なレンズ保持部分１２は、レンズ１４の下部を覆っていなかったり、下部に取り付けられていなくてもよく、それによって使用者の利用可能な視野角を広げることができる。たとえば、従来の安全ゴーグルは、使用者の視野を遮る可能性のある厚いフレームを安全ゴーグルの下部に有している。レンズ１４の下部を覆ったり、レンズ１４の下部に取り付けられることのない取り外し可能なレンズ保持部分１２を使用することで、使用者の視野が遮られることがなくなる。さらに、使用者の視野が広がるように、フレーム１６の厚さが安全めがね１０の下部で減少していてもよい。
【００１４】
図２をここで参照すると、取り外し可能なレンズ保持部分１１２、レンズ１１４、およびフレーム１１６を有している他の典型的な安全めがね１００を示している。安全めがね１００は、その使用者の視野を遮らないように構成されている。そのため、フレーム１１６は安全めがね１００の一方の側の下側部分から安全めがね１００の上部を横切って、安全めがね１００の反対の側の下側部分まで延びている。さらに、取り外し可能なレンズ保持部分１１２はレンズ１１４の両側と上部だけを覆っており、それによって使用者の視野を遮らないようにしている。
【００１５】
ここで図３を参照すると、取り外し可能なレンズ保持部分２１２、フレーム２１６、および取り外し可能な規定挿入部分２１８を有している他の典型的な安全めがね２００を示している。一実施形態では、取り外し可能な規定挿入部分２１８とフレーム２１６とは、安全めがね２１０の使用中に、取り外し可能な規定挿入部分２１８が適切に配置され、フレーム２１６に接続されている状態を維持するように、互いにしっかりと接続されるように構成されている。一実施形態では、取り外し可能な規定挿入部分２１８は、フレーム２１６の鼻部分を挟むことによってフレーム２１８に取り付けられている。取り外し可能規定挿入部分２１８は、１つのレンズまたはワイヤ２２４によって接続されている２つのレンズを有していてもよい。ワイヤ２２４は、取り外し可能な規定挿入部分２１８をフレームに取り付けるために使用することができる。たとえば、ワイヤ２２４は、フレーム２１８の鼻部分を挟むおよび／またはフレーム２１８の受け部分内に挿入可能な取り付け部分を有していてもよい。フレーム２１６は、様々な異なる形状の取り外し可能な規定挿入部分２１８に対応できるように構成することができる。
【００１６】
一実施形態では、安全めがね２００は、ストラップ２２０とストラップ取り付け装置２２６も有していてもよい。ストラップ２２０は長さが調節可能であって、柔軟性のある素材で作られていてもよい。ストラップ２２０は、取り付け装置２２６によって恒久的にまたは取り外し可能にフレーム２１６に取り付けられていてもよい。取り付け装置２２６は、様々な異なる装置を有していてもよい。たとえば、取り付け装置２２６は、フレーム２１６のいずれの側からも延びている環であって、ストラップは、ストラップ２２０を取り付け装置２２６に固定するためのフック、ベルクロ（登録商標）、バックル、または任意の他の手段を有していてもよい。他の例では、取り付け装置２２６は、ストラップ２２０をフレーム２１６に取り付けるボタンであってもよい。
【００１７】
一実施形態では、取り付け装置２２６はフレーム２１６内に固定されている柔軟なケーブルであってもよい。一実施形態では、柔軟なケーブルは、フレーム２１６の全長にわたって伸びており、フレーム２１６を構造的に支持していてもよい。柔軟なケーブルは、安全めがね２１０の様々な用途に対応するために、フレーム２１６とストラップ２２０との間の取り付けの点を調整できるようにする柔軟な取り付け装置２２６を実現する。柔軟なケーブルは、環の形状であって、ストラップ２２０の取り付け角度を広い範囲とすることができる。一例においては、安全めがね２００は、ヘルメットと共に装着可能であって、柔軟ケーブルによって使用者はストラップ２２０をヘルメットの表面の内外に選択的に装着できるようになる。代替の実施形態では、ストラップ２２０は、フレーム２１６の２つの端部を接続するのではなく、フレーム２１６を使用者が装着しているヘルメットに接続してもよい。
【００１８】
典型的な実施形態では、柔軟なケーブルは、下側の第１の側のフレーム部分に取り付けられており、環として上側の第１の側のフレーム部分まで延びており、第１と第２の側部の間の上側フレーム部分内の開口内を経由しており、上側の第２の側のフレーム部分から環として延びており、下側の第２の側のフレーム部分の位置で取り付けられている。環という用語は、ケーブルが下側の側部フレーム部分と上側の側部フレーム部分とからケーブルに取り付けられているストラップまで延びている限り、ケーブルの任意の形状寸法構成を含むものとする。環という語は、ケーブルがたとえばストラップアダプタに固定されている場合も含むものとする。
【００１９】
ここで図４ａ〜ｂを参照すると、作動通気部分３２８を有している典型的な安全めがね３００を示している。この安全めがねは、取り外し可能なレンズ保持部分３１２、フレーム３１６、ストラップ３２４、および取り付け装置３２６も有している。作動通気部分３２８は、フレーム３１６の上部および／または下部に配置されていてもよい。作動通気部分３２８は複数の開口３３４を有している摺動カバー３３２を有している。複数の開口３３４は、フレーム３１６内の複数の開口３３０と選択的に揃うように摺動カバー３３２上に配置されている。摺動カバー３３２によって、使用者は空気を安全めがね３００の内側に循環させるために作動通気口３２８を開閉することができる。
【００２０】
ここで図５を参照すると、典型的な安全めがね４００は、めがねフレーム４０４の周辺部分の周囲の少なくとも一部にメッシュまたは同様な通気部分４０２を同様に有していてもよい。本実施形態は、取り外し可能なストラップクリップ４０８に摺動可能に取り付けられている柔軟なケーブル４０６も有している。この摺動可能な接続に加えて、ケーブルがめがねの両側の間に渡っていることとによって、めがねの位置調整のための自己補正が確実に行われることになる。
【００２１】
図６を参照すると、典型的な取り外し可能なレンズ保持部分４１０は、上部フレーム取り付け点４１２（めがねの上部フレームはこの点の上に載ることになる）および下部フレーム取り付け点４１４（下部フレームブリッジ部分はレンズ保持部分のレンズ４１６に係合する溝を有している）を有している。レンズ保持部分４１４は、安全めがねフレーム４２２（図７を参照）上の対応しているメス取り付け部分４２０と係合するように構成されている２つの側部凸部４１８も有している。
【００２２】
図８を参照すると、典型的な取り外し可能なレンズ保持部分４１０自体がレンズ４１６の交換または取り外しを可能にしていてもよい。複数のレンズ溝４２４がレンズ保持部分４１０の周囲に見られてもよい。
【００２３】
図９を参照すると、他の典型的な規定レンズ構成部品を全体を４２６で示している。関連している部分において、典型的な規定レンズ構成部品４２６は、規定レンズ構成部品４２６を取り外す必要なしに取り外し可能なレンズ保持部分４１０を交換できるようにする取り付け部分４２８を有している。図示の典型的な実施形態において、取り付け部分は、安全めがねフレーム４０４（図１０を参照）の対応する２つのスロット４３０に係合する２つのワイヤフック部分を実現している。
【００２４】
典型的な実施形態において、第２の典型的な安全めがね５００（図１１を参照）は、複数の異なる安全めがね間で規定レンズ構成部品４２６が交換できるように、対応する２つのスロット４３０も有している。そのようなプラットフォーム間の互換性は、異なるめがね間で規定挿入部分が切り替えられたときに規定挿入部分の調整または補正の必要がないように、つまり規定挿入部分が両眼に対して同じように配置できるように構成することができる。他の実施形態においては、安全めがねは、規定レンズの効果を保持している（たとえば、レンズは前部が平坦で複数の側部で曲がっていてもよい）複数の非球面レンズ部分を使用して構成されていてもよい。
【００２５】
本開示を典型的な複数の実施形態を参照して説明したが、当業者には、本開示の範囲を逸脱することなく、様々な変更が可能であって、複数の実施形態の要素を等効物で代替させることが理解されよう。さらに、本開示の教えの本質的な範囲から逸脱することなく、特定の状況や材料を本開示の教えに対応させるように多くの修正を行うことができる。そのため、本開示を、本開示を実施するために考えられた最良の態様として開示されている特定の実施形態には限定せず、本開示が添付の特許請求の範囲内に当てはまるすべての実施形態を含むものとする。
【図１】
2009540365.tif 000003
【図２】
2009540365.tif 000004
【図３】
2009540365.tif 000005
【図４Ａ】
2009540365.tif 000006
【図４Ｂ】
2009540365.tif 000007
【図５】
2009540365.tif 000008
【図６】
2009540365.tif 000009
【図７】
2009540365.tif 000010
【図８】
2009540365.tif 000011
【図９】
2009540365.tif 000012
【図１０】
2009540365.tif 000013
【図１１】
2009540365.tif 000014
【国際調査報告】
2009540365.tif 000015
2009540365.tif 000016